(57)【要約】【課題】各種電子機器の遠隔操作に用いられる可動接点体及びこれを用いたリモコン送信機に関し、操作が確実で、薄型化の容易なものを提供することを目的とする。【解決手段】シート状の基材部１１Ａと上方へ突出した操作部１１Ｂを連結する薄肉でドーム状の弾性部１１Ｃを、基材部１１Ａ下面と操作部１１Ｂ下面の間に形成して可動接点体１１を構成することによって、基材部１１Ａの厚さの分だけ可動接点体１１の高さを低くすることができるため、操作が確実で、薄型化の容易な可動接点体、及びこれを用いたリモコン送信機を得ることができる。【選択図】図１
2005100674.tif 000002
【特許請求の範囲】
【請求項１】
シート状の基材部と、上方へ突出し下面に可動接点が形成された操作部と、上記基材部と操作部を連結する薄肉でドーム状の弾性部からなり、上記弾性部を上記基材部下面と操作部下面の間に形成した可動接点体。
【請求項２】
請求項１記載の可動接点体と、この可動接点体が載置され、可動接点体の可動接点と所定の間隙を空けて対向する固定接点が上面に形成された配線基板と、この配線基板に形成され、上記可動接点体の操作によってリモコン信号を送信する制御回路と、上面開口孔から上記可動接点体の操作部を突出させ、上記可動接点体や上記配線基板を覆うケースからなるリモコン送信機。
【発明の詳細な説明】
【技術分野】
【０００１】
本発明は、テレビやビデオ、エアコン等の各種電子機器の遠隔操作を行なうリモコン送信機、及びこれに用いられる可動接点体に関するものである。
【背景技術】
【０００２】
近年、テレビやビデオ、エアコン等の各種電子機器の高機能化や小型薄型化が進むなか、これらを遠隔操作するリモコン送信機においても、操作が確実で小型薄型化を図ったものが求められている。
【０００３】
このような従来の可動接点体及びこれを用いたリモコン送信機について、図３を用いて説明する。
【０００４】
図３は従来のリモコン送信機の断面図であり、同図において、１はゴム等の可動接点体で、シート状の基材部１Ａと、上方へ突出し下面にカーボン等の可動接点２が形成された複数の操作部１Ｂ、及び、基材部１Ａ上面と操作部１Ｂ下面の間に形成され、基材部１Ａと操作部１Ｂを連結する薄肉でドーム状の弾性部１Ｃから形成されている。
【０００５】
また、３は上下面に複数の配線パターン（図示せず）が形成された配線基板で、この配線基板３上に可動接点体１が載置されると共に、配線基板３上面には、可動接点体１の可動接点２と所定の間隙を空けて対向する複数の固定接点４が形成されている。
【０００６】
さらに、この配線基板３下面には発光ダイオード５Ａやマイコン５Ｂ等の電子部品が実装され、可動接点体１の操作によってリモコン信号を送信する制御回路５が形成されている。
【０００７】
そして、６は略箱状の絶縁樹脂製のケースで、上面の複数の開口孔６Ａから可動接点体１の操作部１Ｂが上下動可能に突出すると共に、ケース６によって可動接点体１や配線基板３が覆われている。
【０００８】
なお、押圧操作時に弾性変形する、可動接点体１の薄肉でドーム状の弾性部１Ｃが、基材部１Ａ上面と操作部１Ｂ下面の間に形成されているため、ケース６下面と基材部１Ａ上面との間には、弾性部１Ｃの高さ分の隙間が設けられている。
【０００９】
そして、配線基板３下面を絶縁樹脂製のカバー７が覆って、リモコン送信機が構成されている。
【００１０】
以上の構成において、このリモコン送信機を電子機器に向け、例えば、電源用や音量切換用等の所定の操作部１Ｂを指等で押圧操作すると、弾性部１Ｃが弾性変形して操作部１Ｂが下方へ移動し、操作部１Ｂ下面の可動接点２が配線基板３上面の固定接点４に接触し、これに対応した赤外線のリモコン信号が制御回路５から電子機器へ送信され、これによって電子機器の電源の入／切や音量の増減等が遠隔操作によって行われる。
【００１１】
また、操作部１Ｂから指を離し操作力を解除すると、弾性部１Ｃが弾性復帰力によって元のドーム状に戻るため、操作部１Ｂが上方へ移動して可動接点２が固定接点４から離れ、図３の状態に戻るように構成されているものであった。
【００１２】
なお、この出願の発明に関連する先行技術文献情報としては、例えば、特許文献１が知られている。
【特許文献１】特開平３−１７３１９８号公報
【発明の開示】
【発明が解決しようとする課題】
【００１３】
しかしながら、上記従来の可動接点体及びこれを用いたリモコン送信機においては、押圧操作時に弾性変形する弾性部１Ｃが、基材部１Ａ上面と操作部１Ｂ下面の間に形成されているため、可動接点体１の高さが高く、また、これをリモコン送信機に用いた場合には、ケース６下面と基材部１Ａ上面との間に弾性部１Ｃの高さ分の隙間が必要となるため、リモコン送信機全体としても厚いものとなり、薄型化を図ることが困難であるという課題があった。
【００１４】
本発明は、このような従来の課題を解決するものであり、確実な操作が得られ、容易に薄型化を図ることが可能な可動接点体、及びこれを用いたリモコン送信機を提供することを目的とする。
【課題を解決するための手段】
【００１５】
上記目的を達成するために本発明は、以下の構成を有するものである。
【００１６】
本発明の請求項１に記載の発明は、シート状の基材部と上方へ突出した操作部を連結する薄肉でドーム状の弾性部を、基材部下面と操作部下面の間に形成して可動接点体を構成したものであり、基材部の厚さの分だけ可動接点体の高さを低くすることができるため、薄型化の容易な可動接点体を得ることができるという作用を有する。
【００１７】
請求項２に記載の発明は、請求項１記載の可動接点体を配線基板上に載置し、これらをケースで覆ってリモコン送信機を構成したものであり、操作が確実で、薄型化の容易なリモコン送信機を実現することができるという作用を有する。
【発明の効果】
【００１８】
以上のように本発明によれば、操作が確実で、薄型化の容易な可動接点体、及びこれを用いたリモコン送信機を実現することができるという有利な効果が得られる。
【発明を実施するための最良の形態】
【００１９】
以下、本発明の実施の形態について、図１及び図２を用いて説明する。
【００２０】
なお、背景技術の項で説明した構成と同一構成の部分には同一符号を付して、詳細な説明を簡略化する。
【００２１】
（実施の形態）
図１は本発明の一実施の形態による可動接点体及びこれを用いたリモコン送信機の断面図、図２は同可動接点体の部分断面斜視図であり、同図において、１１はシリコンゴムやエラストマー等の可動接点体で、シート状の基材部１１Ａと、上方へ突出し下面にカーボン等の可動接点２が形成された複数の操作部１１Ｂ、及び、基材部１１Ａと操作部１１Ｂを連結する薄肉でドーム状の弾性部１１Ｃから形成されている。
【００２２】
そして、弾性部１１Ｃ外周の基材部１１Ａ上面には、溝部１１Ｄが設けられると共に、弾性部１１Ｃは基材部１１Ａ下面と操作部１１Ｂ下面の間に形成され、基材部１１Ａの厚さの分だけ可動接点体１１全体の高さが低くなるようにして、可動接点体１１が構成されている。
【００２３】
また、３は紙フェノールやガラス入りエポキシ等の配線基板で、上下面に銅等によって複数の配線パターン（図示せず）が形成されると共に、この配線基板３上に可動接点体１１が載置され、配線基板３上面には、可動接点体１１の可動接点２と所定の間隙を空けて対向する複数の固定接点４が形成されている。
【００２４】
さらに、この配線基板３下面には発光ダイオード５Ａやマイコン５Ｂ等の電子部品が実装され、可動接点体１１の操作によってリモコン信号を送信する制御回路５が形成されている。
【００２５】
そして、１６は略箱状でポリスチレンやＡＢＳ等の絶縁樹脂製のケースで、上面の複数の開口孔１６Ａから可動接点体１１の操作部１１Ｂが上下動可能に突出すると共に、ケース１６によって可動接点体１１や配線基板３が覆われている。
【００２６】
なお、押圧操作時に弾性変形する、可動接点体１１の弾性部１１Ｃが基材部１１Ａ下面と操作部１１Ｂ下面の間に形成され、基材部１１Ａの厚さの分だけ可動接点体１１全体の高さが低くなり、弾性部１１Ｃの高さは基材部１１Ａの厚さと殆ど同じ高さとなっているため、ケース１６下面と配線基板３上面の隙間は、基材部１１Ａの厚さ程度の隙間となっている。
【００２７】
つまり、配線基板３上面からケース１６上面までの寸法は、ケース１６の厚さと基材部１１Ａの厚さを加算した程度の寸法となり、配線基板３下面を絶縁樹脂製のカバー７が覆って構成されたリモコン送信機も、全体として高さの低い、薄型化を図った構成となっている。
【００２８】
以上の構成において、このリモコン送信機を電子機器に向け、例えば、電源用や音量切換用等の所定の操作部１１Ｂを指等で押圧操作すると、弾性部１１Ｃが弾性変形して操作部１１Ｂが下方へ移動し、操作部１１Ｂ下面の可動接点２が配線基板３上面の固定接点４に接触し、これに対応した赤外線のリモコン信号が制御回路５から電子機器へ送信され、これによって電子機器の電源の入／切や音量の増減等が遠隔操作によって行なわれる。
【００２９】
また、操作部１１Ｂから指を離し操作力を解除すると、弾性部１１Ｃが弾性復帰力によって元のドーム状に戻るため、操作部１１Ｂが上方へ移動して可動接点２が固定接点４から離れ、図１の状態に戻るように構成されている。
【００３０】
このように本実施の形態によれば、基材部１１Ａと操作部１１Ｂを連結する薄肉でドーム状の弾性部１１Ｃを、基材部１１Ａ下面と操作部１１Ｂ下面の間に形成して可動接点体１１を構成することによって、基材部１１Ａの厚さの分だけ可動接点体１１の高さを低くすることができるため、操作が確実で、薄型化の容易な可動接点体、及びこれを用いたリモコン送信機を得ることができるものである。
【産業上の利用可能性】
【００３１】
本発明による可動接点体は、操作が確実で、薄型化の容易なものが得られ、テレビやビデオ、エアコン等の各種電子機器の遠隔操作に用いられるリモコン送信機等に有用である。
【図面の簡単な説明】
【００３２】
【図１】本発明の一実施の形態による可動接点体及びこれを用いたリモコン送信機の断面図
【図２】同可動接点体の部分断面斜視図
【図３】従来のリモコン送信機の断面図
【符号の説明】
【００３３】
２  可動接点
３  配線基板
４  固定接点
５  制御回路
５Ａ  発光ダイオード
５Ｂ  マイコン
７  カバー
１１  可動接点体
１１Ａ  基材部
１１Ｂ  操作部
１１Ｃ  弾性部
１１Ｄ  溝部
１６  ケース
１６Ａ  開口孔
【図１】
2005100674.tif 000003
【図２】
2005100674.tif 000004
【図３】
2005100674.tif 000005